(57)【要約】【課題】ＦＭ送信装置及びＦＭ受信装置の送受信周波数を変更する際に、利用者の負荷を軽減可能なデジタルデータ処理回路を提供する。【解決手段】デジタルデータ処理回路は、設定データに応じた第１周波数の搬送波を、第１周波数を受信周波数とするＦＭ受信装置で再生するための音声信号と受信周波数を第２周波数に変更するための変更データとに応じた変調信号で変調してＦＭ受信装置に送信する音声信号処理回路に対して、受信周波数の第２周波数への変更を指示する指示信号に応じて変更データを出力する出力部と、出力部が変更データを音声信号処理回路に出力した後に、搬送波の周波数が第２周波数となるよう設定データを設定する設定部と、を備える。【選択図】図１
2010200294.tif 000002
【特許請求の範囲】
【請求項１】
設定データに応じた第１周波数の搬送波を、前記第１周波数を受信周波数とするＦＭ受信装置で再生するための音声信号と、前記受信周波数を第２周波数に変更するための変更データとに応じた変調信号で変調して前記ＦＭ受信装置に送信する音声信号処理回路に対して、前記受信周波数の前記第２周波数への変更を指示する指示信号に応じて前記変更データを出力する出力部と、
前記出力部が前記変更データを前記音声信号処理回路に出力した後に、前記搬送波の周波数が前記第２周波数となるよう前記設定データを設定する設定部と、
を備えることを特徴とするデジタルデータ処理回路。
【請求項２】
設定データに応じた第１周波数のＦＭ信号から、音声信号と、前記ＦＭ信号の受信周波数を第２周波数に変更するための変更データとを復調するＦＭ信号処理回路からの前記変更データに基づいて、前記受信周波数を前記第２周波数に設定するための前記設定データを設定する設定部を備えること、
を特徴とするデジタルデータ処理回路。
【発明の詳細な説明】
【技術分野】
【０００１】
本発明は、デジタルデータ処理回路に関する。
【背景技術】
【０００２】
近年、携帯用音楽再生装置等に保存した音楽データを、例えば、ＦＭ（Ｆｒｅｑｕｅｎｃｙ  Ｍｏｄｕｌａｔｉｏｎ）送信回路で送信し、カーステレオで再生することがある（例えば、特許文献１、または特許文献２参照）。図５に、携帯可能な音楽再生装置３１０からの音声信号を送信するＦＭ送信装置３００と、カーステレオにおけるＦＭ受信装置４００とを含む送受信装置２００の一般的な構成を示す。ＦＭ送信装置３００は、コントローラ３２０の操作結果に応じた周波数の搬送波を生成し、搬送波を音楽再生装置３１０からの音声信号で変調してＦＭ信号としてアンテナ３３０に出力する装置である。ＦＭ受信装置４００は、アンテナ４１０で受信したＦＭ信号のうち、コントローラ４２０で設定された周波数のＦＭ信号を復調し、カーステレオのスピーカ４３０で再生する装置である。
【０００３】
送受信装置２００を用いる場合、利用者は、まず周辺で使用されているＦＭラジオ放送等の周波数を考慮して、送受信装置２００が送受信する周波数を決定する必要がある。その後、利用者は、決定された周波数で送受信装置２００が送受信できるよう、コントローラ３２０，４２０の夫々を操作する。その結果、音楽再生装置３１０からの音声信号がスピーカ４３０で再生可能となる。
【先行技術文献】
【特許文献】
【０００４】
【特許文献１】特開２００６−２６２５２１号公報
【特許文献２】特開２００７−８８６５７号公報
【発明の概要】
【発明が解決しようとする課題】
【０００５】
前述の送受信装置２００において、例えば、周辺環境が変化し、カーステレオの再生音がＦＭラジオ放送の影響をうける場合、送受信装置２００が送受信するＦＭ信号の周波数を変更する必要がある。その際には、利用者は、送信装置３００の搬送波の周波数、すなわち送信周波数を設定するコントローラ３２０と受信装置４００の受信周波数を設定するコントローラ４２０との両方を操作する必要があるため、利用者にとって煩わしいという問題があった。本発明は上記課題を鑑みてなされたものであり、ＦＭ送信装置及びＦＭ受信装置の送受信周波数を変更する際に、利用者の負荷を軽減可能なデジタルデータ処理回路を提供することを目的とする。
【課題を解決するための手段】
【０００６】
上記目的を達成するため、本発明のデジタルデータ処理回路は、設定データに応じた第１周波数の搬送波を、前記第１周波数を受信周波数とするＦＭ受信装置で再生するための音声信号と前記受信周波数を第２周波数に変更するための変更データとに応じた変調信号で変調して前記ＦＭ受信装置に送信する音声信号処理回路に対して、前記受信周波数の前記第２周波数への変更を指示する指示信号に応じて前記変更データを出力する出力部と、前記出力部が前記変更データを前記音声信号処理回路に出力した後に、前記搬送波の周波数が前記第２周波数となるよう前記設定データを設定する設定部と、を備えることとする。
【発明の効果】
【０００７】
ＦＭ送信装置及びＦＭ受信装置の送受信周波数を変更する際に、利用者の負荷を軽減可能なデジタルデータ処理回路を提供することができる。
【図面の簡単な説明】
【０００８】
【図１】本発明の一実施形態である送受信装置１０の構成を示す図である。
【図２】マイコン４０がプログラムを実行することにより実現される機能ブロックの構成を示す図である。
【図３】マイコン１２０がプログラムを実行することにより実現される機能ブロックの構成を示す図である。
【図４】送受信装置１０の動作を説明するためのフローチャートである。
【図５】一般的な送受信装置の一例である。
【発明を実施するための形態】
【０００９】
本明細書および添付図面の記載により、少なくとも以下の事項が明らかとなる。
【００１０】
図１は、本発明の一実施形態である送受信装置１０の構成を示す図である。
【００１１】
送受信装置１０は、音声信号及び音声以外のデータをＦＭ信号で送信可能なＦＭ送信装置２０と、ＦＭ送信装置２０からのＦＭ信号を受信し、音声信号及び前述のデータを復調可能なＦＭ受信装置１００とを含んで構成される。なお、本実施形態における前述のデータは、例えば、文字情報等を送受信するために欧州電気標準化委員会にて標準化されたＲＤＳ（Ｒａｄｉｏ  Ｄａｔａ  Ｓｙｓｔｅｍ）データであることとする。また、本実施形態におけるＦＭ受信装置１００は、例えば、カーステレオにおけるＦＭラジオであることとする。
【００１２】
ＦＭ送信装置２０は、音楽再生装置３０からの音声信号と、コントローラ３１からの指示に応じて生成される受信装置１００の受信周波数を変更するための変更データとをＦＭ信号で送信する装置であり、制御回路４０、ＦＭ変調ＩＣ（Ｉｎｔｅｇｒａｔｅｄ  Ｃｉｒｃｕｉｔ）４１、パワーアンプ（Ｐｏｗｅｒ  Ａｍｐｌｉｆｉｅｒ：ＰＡ）４２を含んで構成される。また、ＦＭ送信装置２０は、利用者がコントローラ３１を操作することにより、コントローラ３１からの指示に応じた周波数の搬送波を生成する。
【００１３】
制御回路４０は、コントローラ３１からの指示に応じて、ＦＭ変調ＩＣ４１を制御する回路であり、マイコン５０及びＲＤＳエンコーダ５１を含んで構成される。また、制御回路４０は、例えば液晶表示装置である表示装置３２に、コントローラ３１の操作結果に応じた周波数情報を表示させる。
【００１４】
マイコン５０（デジタルデータ処理回路）は、コントローラ３１からの指示に応じて内蔵するＲＯＭ（Ｒｅａｄ  Ｏｎｌｙ  Ｍｅｍｏｒｙ）（不図示）に格納されたプログラムを実行することにより、各種機能を実現する回路である。図２は、マイコン５０がプログラムを実行することにより実現される機能ブロックの構成を示す図である。本実施形態のマイコン５０は、プログラムを実行することにより設定部７０、出力部７１及び駆動部７２を実現する。
【００１５】
設定部７０は、コントローラ３１からの指示に応じて、ＦＭ送信装置２０の搬送波の周波数、すなわち送信周波数を設定するための第１設定データ（設定データ）をＦＭ変調ＩＣ４１に設定する。
【００１６】
出力部７１は、コントローラ３１からの指示に応じて、受信装置１００の受信周波数を変更するための変更データをＲＤＳエンコーダ５１に出力する。なお、本実施形態におけるコントローラ３１は、変更データを出力させるための所定の指示信号を出力することとする。
【００１７】
駆動部７２は、コントローラ３１からの指示に応じて、表示装置３２に例えば、搬送波の周波数を表示させるべく、表示装置３２を駆動する。
【００１８】
ＲＤＳエンコーダ５１は、マイコン５０から出力されるデジタルの変更データに対して、所定のエンコード処理を施してデジタルのＲＤＳデータを生成する。また、本実施形態のＲＤＳエンコーダ５１は、ＤＡＣ（Ｄｉｇｉｔａｌ  ｔｏ  Ａｎａｌｏｇ  Ｃｏｎｖｅｒｔｅｒ）（不図示）を内蔵することにより、デジタルのＲＤＳデータをアナログのＲＤＳ信号に変換してＦＭ変調ＩＣ４１に出力する。
【００１９】
ＦＭ変調ＩＣ４１は、第１設定データに基づいた搬送波を生成し、音楽再生装置３０からの音声信号とＲＤＳ信号と送信する回路であり、ＰＬＬ（Ｐｈａｓｅ  Ｌｏｃｋｅｄ  Ｌｏｏｐ：位相同期回路）６０及びＦＭ変調回路６１を含んで構成される。
【００２０】
ＰＬＬ６０は、マイコン５０からの第１設定データに基づいた周波数の発振信号をＦＭ変調回路６１に出力する回路である。
【００２１】
ＦＭ変調回路６１（音声信号処理回路）は、発振信号に基づいて搬送波を生成するとともに、音楽再生装置３０から入力される音声信号と、ＲＤＳエンコーダ５１から入力されるＲＤＳ信号とに応じたコンポジット信号（変調信号）を生成し、搬送波をコンポジット信号で変調してＦＭ信号として出力する回路である。
【００２２】
パワーアンプ４２は、ＦＭ変調回路６１からのＦＭ信号を増幅して、アンテナ３３に出力する回路である。したがって、アンテナ３３からは、音声信号及びＲＤＳ信号が多重化されたＦＭ信号が、第１設定データに応じた送信周波数でＦＭ受信装置１００に送信されることとなる。
【００２３】
ＦＭ受信装置１００は、アンテナ１１０で受信したＦＭ信号を復調し、音声信号をスピーカ１１１で再生する装置であり、ＦＭ復調ＩＣ１２０、パワーアンプ１２１、及び制御回路１２２を含んで構成される。また、ＦＭ受信装置１００は、コントローラ１１２の操作結果、または受信したＦＭ信号におけるＲＤＳ信号の何れかに応じて受信周波数が変更される。
【００２４】
ＦＭ復調ＩＣ１２０（ＦＭ信号処理回路）は、アンテナ１１０から入力されるＦＭ信号のうち、制御回路１２２からの第２設定データ（設定データ）に基づいた周波数のＦＭ信号を復調する回路であり、ＰＬＬ１３０及びチューナーＩＣ１３１を含んで構成される。したがって、本実施形態においては、第２設定データに基づいてＦＭ復調ＩＣに設定される周波数がＦＭ復調ＩＣ１２０及びＦＭ受信装置１００の受信周波数となる。
【００２５】
ＰＬＬ１３０は、制御回路１２２からの第２設定データに基づいた周波数の発振信号をチューナーＩＣ１３１に出力する回路である。
【００２６】
チューナーＩＣ１３１は、入力されるＦＭ信号を発振信号で復調し、コンポジット信号を生成する。また、チューナーＩＣ１３１は、コンポジット信号から音声信号とＲＤＳ信号と信号を分離する回路である。本実施形態のチューナーＩＣ１３１は、音声信号をパワーアンプ１２１に出力し、ＲＤＳ信号をＲＤＳデコーダ１４１に出力することとする。
【００２７】
パワーアンプ１２１は、チューナーＩＣ１３１からの音声信号を増幅し、スピーカ１１１で再生する回路である。
【００２８】
制御回路１２２は、利用者が操作するコントローラ１１２からの指示または、チューナーＩＣ１３１からのＲＤＳ信号に応じて、ＦＭ復調ＩＣ１２０の受信周波数を設定するための第２設定データを生成する回路である。また、制御回路１２２は、例えば液晶表示装置である表示装置１１３に、例えば受信周波数を表示させる。本実施形態の制御回路１２２は、ＲＤＳデコーダ１４０及びマイコン１４１を含んで構成される。
【００２９】
ＲＤＳデコーダ１４０は、チューナーＩＣ１３１から出力されるＲＤＳ信号に対して所定のデコード処理を施してマイコン１４１に出力する。
【００３０】
マイコン１４１は、コントローラ１１２からの指示または、ＲＤＳデコーダ１４０からの出力に応じて、内蔵するＲＯＭ（Ｒｅａｄ  Ｏｎｌｙ  Ｍｅｍｏｒｙ）（不図示）に格納されたプログラムを実行することにより、各種機能を実現する回路である。図３は、マイコン１４１がプログラムを実行することにより実現される機能ブロックの構成を示す図である。本実施形態のマイコン１４１は、プログラムを実行することにより設定部１５０、及び駆動部１５１を実現する。
【００３１】
設定部１５０は、コントローラ１１２からの指示応じて、ＦＭ受信装置１００の受信周波数を設定するための第２設定データをＦＭ復調ＩＣ１２０に設定する。また、本実施形態の設定部１５０は、ＲＤＳデコーダ１４０からの出力が、ＦＭ送信装置２０で生成された変更データである場合、変更データに基づいた第２設定データをＦＭ復調ＩＣ１２０に設定する。
【００３２】
駆動部１５１は、コントローラ１１２からの指示または、ＲＤＳデコーダ１３１からの出力に応じて、表示装置１１３に受信装置１００の受信周波数を表示させるべく、表示装置１１３を駆動する。
【００３３】
ここで、図４に示すフローチャートを参照しつつ、送受信装置１０の動作を説明する。
【００３４】
まず、利用者は、ＦＭ送信装置２０の送信周波数と、ＦＭ受信装置１００の受信周波数とを、ＦＭラジオ放送等の影響を考慮して設定する。具体的には、コントローラ３１を操作し、送信周波数を、例えば１００ＭＨｚ（第１周波数）となるよう操作する（Ｓ１００）。コントローラ３１の操作結果に応じて、設定部７０は、ＦＭ変調ＩＣ４１の送信周波数が１００ＭＨｚとなるような第１設定データを、ＦＭ変調ＩＣ４１に設定する。また、利用者は、コントローラ１１２を操作し、受信周波数を、送信周波数と同じ１００ＭＨｚとなるよう操作する（Ｓ１００）。コントローラ１１２の操作結果に応じて、設定部１５０は、ＦＭ復調ＩＣ１２０の受信周波数が１００ＭＨｚとなるような第２設定データを、ＦＭ復調ＩＣ１２０に設定する。ＦＭ送信装置２０、ＦＭ受信装置１００の送受信周波数がともに１００ＭＨｚに設定されると、利用者は、音楽再生装置３０に保存された音楽の再生を開始する。その結果、スピーカ１１１からは、音楽再生装置３０からの音楽が再生されることとなる。スピーカ１１１からの再生音が、例えばＦＭラジオ放送等の影響を受けない場合には（Ｓ１０１：ＮＯ）、利用者はＦＭ送信装置２０の送信周波数を変更する必要がないため、１００ＭＨｚで音楽の送信を継続する。一方、周辺環境等が変化し、スピーカ１１１からの再生音がＦＭラジオ放送の影響をうける場合には（Ｓ１０１：ＹＥＳ）、利用者は、送信周波数及び受信周波数を１００ＭＨｚから変更する必要がある。ここで、本実施形態においては、送信周波数及び受信周波数を１００ＭＨｚから例えば１０８ＭＨｚ（第２周波数）に変更することとして説明する。また、本実施形態では、送受信周波数を変更する際には、音楽再生装置３０の再生を停止することとする。利用者は、送受信周波数を１０８ＭＨｚとすべく、まず、表示装置３２に表示された周波数が１０８ＭＨｚとなるようコントローラ３１を操作する。そして、１０８ＭＨｚが選択されると、利用者がコントローラ３１の周波数変更選択ボタン（不図示）を押す。その結果、コントローラ３１からは、送受信周波数の変更を指示する指示信号が出力部７１に出力される。出力部７１は、指示信号に応じて、受信周波数を１０８ＭＨｚに変更するための変更データを生成するとともに、ＲＤＳエンコーダ５１に出力する。前述のようにＲＤＳエンコーダ５１は、変更データに対して所定のエンコード処理を施し、ＲＤＳ信号としてＦＭ変調ＩＣ４１に出力する。この段階では、まだ送受信周波数は変更されていないため、１０８ＭＨｚに変更するための変更データに応じたＲＤＳ信号は、１００ＭＨｚのＦＭ信号にて送信されることとなる（Ｓ１０２）。そして、ＦＭ受信装置１００は、ＦＭ送信装置２０から送信される１００ＭＨｚのＦＭ信号を受信すると、ＦＭ信号を復調し、変更データに応じたＲＤＳ信号をＲＤＳデコータ１４０に出力する（Ｓ１０３）。ＲＤＳデコーダ１４０は、前述のように入力されるＲＤＳ信号に対して所定のデコード処理を施すため、ＲＤＳデコーダ１４０からは、結果的に変更データが出力されることとなる。変更データは、受信周波数を１０８ＭＨｚに変更するためのデータであるため、設定部１５０は、変更データに基づいて、ＦＭ復調ＩＣ１２０の受信周波数が１０８ＭＨｚになるよう第２設定データをＦＭ復調ＩＣ１２０に設定する（Ｓ１０４）。また、本実施形態の駆動部１５１は、ＦＭ復調ＩＣ１２０の受信周波数が設定されると、表示装置１１３の受信周波数の表示を更新する。表示装置１１３に表示された受信周波数が１００ＭＨｚの場合（Ｓ１０５：ＹＥＳ）、利用者は受信周波数の表示が１０８ＭＨｚに変更されるまで待機する。一方、表示装置１１３に表示された受信周波数が１０８ＭＨｚに変更されると（Ｓ１０５：ＹＥＳ）、利用者は、送受信周波数を１０８ＭＨｚに確定すべく、コントローラ３１の周波数変更決定ボタン（不図示）を押す。その結果、コントローラ３１は、送信周波数を１０８ＭＨｚに変更するための信号を設定部７０に出力する。そして、設定部７０は、コントローラ３１からの出力に応じて、送信周波数を１０８ＭＨｚにするための第１設定データを生成し、ＦＭ変調ＩＣ４１に出力する。そして、ＦＭ送信装置２０の送信周波数は１０８ＭＨｚに変更されることとなる。また、駆動部７２は、送信周波数を表示装置３２に表示させるため、送信周波数が１００ＭＨｚから１０８ＭＨｚに更新されると、利用者は、音楽再生装置３０の再生を開始する（Ｓ１０６）。送受信装置１０は、１０８ＭＨｚで音楽再生装置３０の音楽を送受信するため、スピーカ１１１からは、音楽再生装置３０からの音楽が再生されることとなる。また、１０８ＭＨｚで送受信している際に、ラジオ等の影響を受ける場合、利用者はステップＳ１０１からステップＳ１０４までの処理を繰り返すことにより、再度ラジオの影響を受けない周波数の設定が可能である。
【００３５】
以上に説明した構成からなる本実施形態の送受信装置１０において、送受信する周波数を変更する際に、まず、利用者は、コントローラ３１の周波数変更選択ボタン（不図示）を押し、ＦＭ送信装置２０に、変更前の周波数である１００ＭＨｚで受信周波数を１０８ＭＨｚに変更するための変更データを送信させる。その結果、ＦＭ受信装置１００の受信周波数は１００ＭＨｚから１０８ＭＨｚに変更される。そして、利用者は、ＦＭ送信装置２０の送信周波数が１０８ＭＨｚとなるよう、コントローラ３１の周波数変更決定ボタン（不図示）を押す。その結果、送受信装置１０は、１０８ＭＨｚで送受信可能となる。したがって、本実施形態において、利用者は、ＦＭ受信装置１００を制御するコントローラ１１２を操作することなく受信周波数を変更することが可能であるため、送受信周波数を変更する際の負荷の軽減が可能である。
【００３６】
また、本実施形態では、ＦＭ受信装置１００の設定部１５０が、ＲＤＳデコーダ１４０からの変更データに基づいて受信周波数を設定可能である。したがって、利用者は、ＦＭ受信装置１００を制御するコントローラ１１２を操作することなく受信周波数を変更することが可能であるため、送受信周波数を変更する際の負荷の軽減が可能である。
【００３７】
なお、上記実施例は本発明の理解を容易にするためのものであり、本発明を限定して解釈するためのものではない。本発明は、その趣旨を逸脱することなく、変更、改良され得ると共に、本発明にはその等価物も含まれる。
【００３８】
本実施形態においては、ステップＳ１０５において受信周波数の変更が完了したか否かを表示装置１１３にて確認することとしたが、例えば、ステップＳ１０３で受信周波数を１０８ＭＨｚに変更するための変更データを１００ＭＨｚで送信したタイミングで、表示装置１１３を確認することなく、送信周波数を１０８ＭＨｚに変更しても良い。この場合であっても、本実施形態と同様の効果が得られる。
【００３９】
また、本実施形態では、ＲＤＳエンコーダ５１が制御回路４０に含まれる構成としたが、例えば、ＲＤＳエンコーダ５１は、ＦＭ変調ＩＣ４１が含むこととしても良い。
【００４０】
また、本実施形態では、受信周波数を変更するための変更データをＲＤＳデータとして処理したが、例えば、米国の規格であるＲＤＢＳ（Ｒａｄｉｏ  Ｂｒｏａｄｃａｓｔ  Ｄａｔａ  Ｓｙｓｔｅｍ）を用いて処理しても良い。
【符号の説明】
【００４１】
１０  送受信装置
２０  送信装置
３０  音楽再生装置
３１、１１２  コントローラ
３２、１１３  表示装置
３３、１１０  アンテナ
４０、１２２  制御回路
４１  ＦＭ変調ＩＣ
４２、１２１  パワーアンプ（ＰＡ）
５０、１４１  マイコン
５１  ＲＤＳエンコーダ
６０、１３０  ＰＬＬ
６１  ＦＭ変調回路
７０  設定部
７１  出力部
７２  駆動部
１５０  設定部
１５１  駆動部
１００  ＦＭ受信装置
１１１  スピーカ
１２０  ＦＭ復調ＩＣ
１３１  チューナーＩＣ
１４０  ＲＤＳデコーダ
【図１】
2010200294.tif 000003
【図２】
2010200294.tif 000004
【図３】
2010200294.tif 000005
【図４】
2010200294.tif 000006
【図５】
2010200294.tif 000007